(57)【特許請求の範囲】
【請求項１】
回動可能に軸支されたカメラユニットを内蔵した表カバーに、カメラユニットの撮像方向を調整する操作レバーを露呈させた裏ボディを組付けて構成されたカメラ付ドアホンにおいて、上記操作レバーは、上記カメラユニットを回動可能な状態に係合させる係合部を設けるとともに、上記表カバーに設けた支持部の位置合わせ溝に回動可能な状態に嵌入固定される位置合わせ軸部を設け、前記カメラユニットの回動方向と同じ方向に回動操作させる構造としているカメラ付ドアホン。
【請求項２】
請求項１において、上記カメラユニットの一部には、上記操作レバーより突設させた係合部と、位置合わせ軸とを挿入させる孔部が形成されるとともに、上記係合部と位置合わせ軸部に対応した位置には、カメラユニットの被係合部と、支持部の位置合わせ溝とを各々設けているカメラ付ドアホン。
【請求項３】
請求項１又は２の何れかにおいて、上記操作レバーの一端には、上記カメラユニットに設けた被係合部と係合する係合部を設け、その他端には、裏ボディの窓孔より露呈される指操作部とを設けた構造にしているカメラ付ドアホン。
【請求項４】
請求項３において、上記操作レバーは、円弧状本体部の一端に上記カメラユニットと係合する対応した係合部を設け、その他端に、指操作部を設けており、かつ、上記裏ボディの上記窓孔には、操作レバーの円弧状本体部の形状に応じた凹所を形成しているカメラ付ドアホン。
【請求項５】
請求項４において、上記円弧状本体部の一側面には、一定間隔をあけて角度保持凹所を複数形成し、上記窓孔における上記角度保持凹所に接する面には、角度保持突起を形成しているカメラ付ドアホン。
【請求項６】
請求項４又は５の何れかにおいて、上記角度保持凹所を形成した一側にあって、上記円弧状本体部の側端近傍の円弧方向には、この角度保持凹所に弾性を与えるスリットを形成しているカメラ付ドアホン。
【請求項７】
請求項３〜６の何れかにおいて、上記窓孔は、操作レバーが回転方向にのみ移動可能に両側を規制するとともに、その円弧状本体部が嵌め込まれて抜け落ちないように形成しているカメラ付ドアホン。
【請求項８】
請求項１〜７のいずれかにおいて、上記カメラユニットは、カメラレンズ、ＬＥＤを実装した台座に、ＣＣＤ素子などの回路部品を実装した回路基板を固着した構造にしたカメラ付ドアホン。
【請求項９】
請求項１〜８の何れかにおいて、上記操作レバーは、カメラユニットに対して支承して係合しているカメラ付ドアホン。
【発明の詳細な説明】
【０００１】
【発明の属する技術分野】
【０００２】
本発明は、回動可能に軸支されたカメラユニットの撮像方向を調整する操作レバーを有するカメラ付ドアホンに関し、詳しくは、操作レバーを容易に位置決めして組立作業ができるカメラ付ドアホンに関する。
【従来の技術】
【０００３】
図６（ａ）は、従来のカメラ付ドアホンの概要を示す概略図である。この図６（ａ）に示すように、回動可能に軸支されたカメラユニット１００を内蔵した表カバー１０１ に、カメラユニット１００の撮像方向を調整する操作レバー１０２を露呈させた裏ボディ１０３を組付けて構成されたカメラ付ドアホン１０４は公知である。
【０００４】
この操作レバー１０２は、裏ボディー１０３から露呈した操作部１０５を上下方向にスライドさせることにより、操作レバー１０２先端の係合部１０６と係合された被係合部１０７を介して上記カメラユニット１００に回転力を与え、このカメラユニット１００に設けた軸部１０８を回転中心として回動させるものである。
【０００５】
図６（ｂ）は、従来のカメラ付ドアホンの組立要領を説明する概略図である。このカメラ付ドアホン１０４の組立作業では、カメラユニット１００を回動可能に軸支して表カバー１０１に内装し、操作レバー１０２を裏ボディ１０３にスライド可能な状態で取付ける。そして、操作レバー１０２の係合部１０６を、カメラユニット１００の被係合部１０７に係合させるとともに、裏ボディ１０３を表カバー１０１に組付けてその組立作業を終える
【発明が解決しようとする課題】
【０００６】
ところが、この組立作業において、回動可能に軸支されたカメラユニットの被係合部に対して、上下スライド可能な状態で裏カバーに取付けられた操作レバーの係合部を係合させることは、困難である。すなわち、カメラユニットの被係合部は、外力が加わると回転方向に移動しようと動作し、また、裏ボディに組付けた操作レバーは上下にスライドしようと動作するため、この操作レバーの係合部をスムーズに係合させることができない。
【０００７】
そのため、組立作業に手間を要し、容易に組立作業ができな操作レバーを表カバーに組付け、この操作レバーに裏ボディーの窓孔を位置合わせして、裏ボディーを表カバーに組付け難いという問題があった。
【０００８】
本発明は、かかる課題を解決することを目的としたもので、素早く且つ簡単に裏ボディと表カバーの組立作業を可能にしたカメラ付ドアホンを提供する。
【課題を解決するための手段】
【０００９】
上記目的を達成するため、請求項１に係るカメラ付ドアホンは、回動可能に軸支されたカメラユニットを内蔵した表カバーに、カメラユニットの撮像方向を調整する操作レバーを露呈させた裏ボディを組付けて構成されたカメラ付ドアホンにおいて、上記操作レバーは、上記カメラユニットを回動可能な状態に係合させる係合部を設けるとともに、上記表カバーに設けた支持部の位置合わせ溝に回動可能な状態に嵌入固定される位置合わせ軸部を設け、前記カメラユニットの回動方向と同じ方向に回動操作させる構造としている。請求項１では、操作レバーに設けた位置合わせ軸部を、表カバーの内面に設けた支持部の位置合わせ溝に嵌入させれば、操作レバーの係合部とカメラユニットの係合部とは係合され、その状態で操作レバーはカメラユニットに固定される。したがって、そのままの状態で表カバーに、裏ボディを被せれば、裏ボディの窓孔から、操作レバーの操作部が露呈して容易に組立できる。
【００１０】
請求項２に係るカメラ付ドアホンは、請求項１において、上記カメラユニットの一部には、上記操作レバーより突設させた係合部と、位置合わせ軸とを挿入させる孔部が形成されるとともに、上記係合部と位置合わせ軸部に対応した位置には、カメラユニットの被係合部と、支持部の位置合わせ溝とを各々設けている。請求項２では、操作レバーの係合部と位置合わせ軸部を、カメラユニットの孔部に挿入すれば、係合部はカメラユニットの被係合部と、位置合わせ軸部は支持部の位置合わせ溝と各々位置合わせ係合が可能となり、上記孔部によって、取付け位置が明示されるので、組立が一層容易に行える。
【００１１】
請求項３に係るカメラ付ドアホンは、請求項１又は２の何れかにおいて、上記操作レバーの一端には、上記カメラユニットに設けた被係合部と係合する係合部を設け、その他端には、裏ボディの窓孔より露呈される指操作部とを設けた構造にしている。請求項３では、操作レバーの他端に設けた指操作部を回動操作すると、その一端に設けた係合部は反対方向に回転し、更にこの係合部に係合された被係合部を介して、カメラユニットは、その回転軸（操作レバーの位置合わせ軸とは別に設けられている）を中心にして指操作部と同じ方向に回動させることが出来る。従来のスライド式、回転式の操作レバーでは、指操作部とカメラの上下動作は反対の関係にあったが、本案では、同じ方向になるので、指操作部を露呈させた窓孔部の表示も上下が一致するので、誤操作を起さず、操作が分かり易い。
【００１２】
請求項４に係るカメラ付ドアホンは、請求項３において、上記操作レバーは、円弧状本体部の一端に上記カメラユニットと係合する対応した係合部を設け、その他端に、指操作部を設けており、かつ、上記裏ボディの上記窓孔には、操作レバーの円弧状本体部の形状に応じた凹所を形成している。請求項４では、操作レバーに円弧状本体部を設けるとともに、この円弧状本体部の形状に応じた凹所を窓孔に形成しているので、操作レバーの指操作部が裏ボディの窓孔より露呈するようにして、裏ボディを表カバーに被せれば、操作レバーの円弧状本体部は、その凹所に嵌り込んでガイドされるので、操作部が抜け出さず、スムーズに回転できる。
【００１３】
請求項５に係るカメラ付ドアホンは、請求項４において、上記円弧状本体部の一側面には、一定間隔をあけて角度保持凹所を複数形成し、上記窓孔における上記角度保持凹所に接する面には、角度保持突起を形成している。請求項５では、角度保持突起に角度保持凹所が嵌りこんで、カメラユニットの撮像角度を保持できる。
【００１４】
請求項６に係るカメラ付ドアホンは、請求項４又は５の何れかにおいて、上記角度保持凹所を形成した一側にあって、上記円弧状本体部の側端近傍の円弧方向には、この角度保持凹所に弾性を与えるスリットを形成している。請求項６では、角度保持突起が角度保持凹所に嵌り込んだ際には、適当な弾性でその状態を維持できる。
【００１５】
請求項７に係るカメラ付ドアホンは、請求項３〜６の何れかにおいて、上記窓孔は、操作レバーが回転方向にのみ移動可能に両側を規制するとともに、その円弧状本体部が嵌め込まれて抜け落ちないように形成している。請求項７では、円弧状本体部が抜け落ちないので、操作レバーを裏ボディーに嵌め込んだ状態で表カバーに組立できる。
【００１６】
請求項８に係るカメラ付ドアホンは、請求項１〜７のいずれかにおいて、上記カメラユニットは、カメラレンズ、ＬＥＤを実装した台座に、ＣＣＤ素子などの回路部品を実装した回路基板を固着した構造にしている。請求項８では、電子回路を形成するプリント基板上に、プリント基板とは異なる部品のカメラレンズやＬＥＤを実装した台座を設けている。ＬＥＤは可視光、赤外線を発光させる。赤外線を照射して、ＣＣＤ素子で赤外線像を撮像させるようにすれば暗射カメラとしての使用も可能である。
請求項９に係るカメラ付ドアホンは、請求項１〜８の何れかにおいて、上記操作レバーは、カメラユニットに対して支承して係合している。請求項９では、操作レバーは、支承された状態でカメラユニットと係合するので、裏ボディーを表カバーに対して一層容易に組立できる。ここで、支承とは、操作レバーがカメラユニットに対して立起された状態で係合していることを意味する。
【発明の実施の形態】
【００１７】
以下、本発明に係るカメラ付ドアホンを図面に基づき説明する。図１は、本発明に係るカメラ付ドアホンの概要を示す概略図である。このカメラ付ドアホンＡは、回転軸１１を中心に回動可能に軸支されたカメラユニット１を内蔵した表カバー２に、カメラユニット１に設けたカメラ１５の撮像方向を調整する操作レバー３の操作部３１を裏ボディ４の窓孔４１から露呈させて、裏ボディ４を表カバー２に組付けて構成されたカメラ付ドアホンＡを例示している。
【００１８】
この操作レバー３は、裏ボディー４から露呈した指操作部３１を上下方向に回転させることにより、操作レバー３先端の係合部３２と係合された被係合部１２を介して上記カメラユニット１に回転力を与え、上記回転軸１１を中心にカメラユニット１を回動させるものである。図２（ａ）〜（ｃ）は、本発明に係るカメラ付ドアホンＡの組立要領を説明する概略図である。このカメラ付ドアホンＡの組立作業では、カメラユニット１を回動可能に軸支して表カバー２に内装する。次いで、操作レバー３の係合部３２を、カメラユニット１に形成した孔部１３に挿入して、その被係合部１２に係合させるとともに、操作レバー３の位置合わせ軸部３３を、表カバー２に設けた支持部２１の位置合わせ溝２１ａに嵌め入れて回動可能な状態とする。
【００１９】
そして、操作レバー３の指操作部３１を目安にして、裏ボディ４の窓孔４１をこの指操作部３１に被せれば、この指操作部３１は裏ボディ４から露呈した状態となり、そのまま裏ボディ４を表カバー２に組付けて、容易に組立作業を終えることができる。〔図２（ｃ）参照〕
以下、本発明に係るカメラ付ドアホンの一実施例を図面に基づき説明する。図３は、本発明に係るカメラ付ドアホンの一実施例を示す分解斜視図、図４はその縦断断面図である。これらの図に基いて本発明に係る実施例を説明する。
【００２０】
図３、４において、Ａはカメラ付ドアホン、１はカメラユニット、１１は回転軸、１２は被係合部、１３は孔部、１５はカメラ、２は表カバー、２１は支持部、２１ａは位置合わせ溝、３は操作レバー、３１は指操作部、３２は係合部、３３は位置合わせ軸部、４は裏ボディ、４１は窓孔、として上述したものに各々対応している。
【００２１】
また、上記操作レバー３は、円弧状本体部３４の一端に上記カメラユニット１と係合する対応した係合部３２を設け、その他端に指操作部３１を設けており、かつ、上記裏ボディ４の上記窓孔４１には、操作レバー３の円弧状本体部３４の形状に応じた凹所４１ｂを形成している。そのため、裏ボディ４を表カバー２に被せれば、操作レバー３の円弧状本体部３４は、その凹所４１ｂに嵌り込んでガイドされるので、操作部が抜け出さず、スムーズに回転できる。
【００２２】
図５は、上記窓孔に操作レバーが嵌った状態を示す拡大説明図である。上記円弧状本体部３４の一側面には、一定間隔をあけて角度保持凹所３４ａを複数形成し、上記窓孔４１における上記角度保持凹所３４ａに接する面には、角度保持突起４１ａを形成している.。このように角度保持突起４１ａに角度保持凹所３４ａが嵌り込むことでカメラユニット１の撮像角度を保持できる。
【００２３】
また、上記角度保持凹所３４ａを形成した一側にあって、上記円弧状本体部３４の側端近傍の円弧方向には、この角度保持凹所３４ａに弾性を与えるスリット３４ｃを形成している。そのため、角度保持突起４１ａが角度保持凹所３４ａに嵌り込んだ際には、適当な弾性でその状態を維持できる。このように構成したカメラ付ドアホンＡは、図２で説明した要領同様、表カバー２に回動可能に組付けたカメラユニット１の孔部１３に、上記操作レバー３の先端を挿入すれば、その係合部３２がカメラユニット１に係合されるとともに、位置合わせ軸部３３が支持部２１の位置合わせ溝２１ａに嵌り込んで、操作レバー３が支承されて且つ位置決めされる。
【００２４】
そして、この操作レバー３の指操作部３１を目安にして、これを裏ボディ４の窓孔４１に嵌め込めば、そのまま裏ボディ４を表カバー２に組付けを行える。このように操作レバー３を、カメラユニット１に対して組付ける際に、この操作レバー３は、カメラユニット１に支承された状態で係合するので、裏ボディー４を表カバー２に対して一層容易に組立できる。
【００２５】
また、上記操作レバー３は、基本的にはカメラユニット１の表カバー２側に組付けられているが、例えば、上記窓孔４１を操作レバー３が回転方向にのみ移動可能に両側を規制するとともに、その円弧状本体部３４が嵌め込まれて抜け落ちないように形成することで、操作レバー３を裏ボディー４側に嵌め込んだ状態で表カバー２に組付けることも可能である。
【００２６】
なお、上記カメラユニット１は、カメラレンズ、ＬＥＤを実装した台座に、ＣＣＤ素子などの回路部品を実装した回路基板を固着した構造にしている。つまり、電子回路を形成するプリント基板上に、プリント基板とは異なる部品のカメラレンズやＬＥＤを実装した台座を設けているので、可視光、赤外線を発光させるＬＥＤの赤外線を照射して、ＣＣＤ素子で赤外線像を撮像させるようにすれば暗射カメラとしての使用も可能である
【発明の効果】
【００２７】
本発明に係るカメラ付ドアホンによれば、操作レバーを表カバーに組付けて位置決めし、この操作レバーに裏ボディーの窓孔を嵌めるだけで、裏ボディーを表カバーに簡単に組付けることができる。従って、操作レバーの位置決めを不要とし、素早く且つ簡単に組立作業を行なうことができる。
【００２８】
また、操作レバーの係合部と位置合わせ軸部を、カメラユニットの孔部に挿入すれば、係合部はカメラユニットの被係合部と、位置合わせ軸部は支持部の位置合わせ溝と各々位置合わせ係合が可能となり、上記孔部によって、取付け位置が明示されるので、組立が一層容易に行える。
【図面の簡単な説明】
【図１】本発明に係るカメラ付ドアホンの概要を示す概略図
【図２】本発明に係るカメラ付ドアホンＡの組立要領を説明する
【図３】本発明に係るカメラ付ドアホンの一実施例を示す分解斜視図
【図４】図３の縦断断面図
【図５】窓孔に操作レバーが嵌った状態を示す拡大説明図
【図６】（ａ）は、従来のカメラ付ドアホンの概要を示す概略図、（ｂ）は、従来のカメラ付ドアホンの組立要領を説明する概略図
【符号の説明】
Ａ カメラ付ドアホン
１ カメラユニット
１１ 回転軸
１２ 被係合部
１３ 孔部
１５ カメラ
２ 表カバー
２１ 支持部
２１ａ位置合わせ溝
３ 操作レバー
３１ 指操作部
３２ 係合部
３３ 位置合わせ軸部
４ 裏ボディ
４１ 窓孔
【図１】
0003587091.tif 000002
【図２】
0003587091.tif 000003
【図３】
0003587091.tif 000004
【図４】
0003587091.tif 000005
【図５】
0003587091.tif 000006
【図６】
0003587091.tif 000007